(57)【要約】【課題】洗濯物収納部または仕上品収納部を管理者側が直接視認できない場合でも、不正行為やトラブルの発生を効果的に防止することのできるクリーニングボックスを提供する。【解決手段】利用者の固有情報を記憶したタグ７１が取付けられた洗濯物Ａが洗濯物収納部２０に投入されると、そのタグ７１の利用者情報を読み取るＲＦＩＤリーダ２７と、洗濯物収納部２０に投入された投入物を検知する投入物センサ２８とを備え、投入物センサ２８によって投入物が検知されると、ＲＦＩＤリーダ２７によって読み取られた情報または読み取りの有無に基づいて、その投入物が適正な洗濯物か否かを判定するようにしたので、例えば投入物が検知されたにも拘わらずタグ情報の読み取りがなかった場合は、洗濯物収納部２０内に洗濯物以外の異物が投入されたものと判断することが可能となる。【選択図】図３
2005131220.tif 000002
【特許請求の範囲】
【請求項１】
利用者の洗濯物を収納する洗濯物収納部と、洗濯済みの仕上品を収納する仕上品収納部とを備えたクリーニングボックスにおいて、
前記利用者の固有情報を記憶したタグが取付けられた洗濯物が洗濯物収納部に投入されると、そのタグの利用者情報を読み取るタグ情報読取手段と、
洗濯物収納部に投入された投入物を検知する投入物検知手段と、
投入検知手段によって投入物が検知されると、タグ情報読取手段によって読み取られた情報または読み取りの有無に基づいて、その投入物が適正な洗濯物か否かを判定する判定手段とを備えた
ことを特徴とするクリーニングボックス。
【請求項２】
利用者の固有情報を記憶したカードを読み取るカード情報読取手段を備え、
前記判定手段を、タグ情報読取手段とカード情報読取手段によってそれぞれ読み取られた情報に基づいて投入物が適正な洗濯物か否かを判定するように構成した
ことを特徴とする請求項１記載のクリーニングボックス。
【請求項３】
前記投入物が適正な洗濯物であると判定手段によって判定されなかった場合に所定の警報表示または警報音を出力する警報手段を備えた
ことを特徴とする請求項２記載のクリーニングボックス。
【請求項４】
利用者の洗濯物を収納する洗濯物収納部と、洗濯済みの仕上品を収納する仕上品収納部とを備えたクリーニングボックスにおいて、
前記利用者の固有情報を記憶したタグが取付けられた仕上品が仕上品収納部から取出されると、そのタグの利用者情報を読み取るタグ情報読取手段と、
タグ情報読取手段によって読み取られた情報に基づいて、仕上品収納部から取出された仕上品が適正な利用者の仕上品か否かを判定する判定手段とを備えた
ことを特徴とするクリーニングボックス。
【請求項５】
利用者の固有情報を記憶したカードを読み取るカード情報読取手段を備え、
前記判定手段を、タグ情報読取手段とカード情報読取手段によってそれぞれ読み取られた情報に基づいて、仕上品収納部から取出された仕上品が適正な利用者の仕上品か否かを判定するように構成した
ことを特徴とする請求項４記載のクリーニングボックス。
【請求項６】
前記仕上品収納部から取出された仕上品が適正な利用者の仕上品であると判定手段によって判定されなかった場合に所定の警報表示または警報音を出力する警報手段を備えた
ことを特徴とする請求項５記載のクリーニングボックス。
【請求項７】
前記仕上品収納部から取出された仕上品のタグがタグ情報読取手段によって読み取られた後、同一の仕上品のタグがタグ情報読取手段によって再度読み取られた場合に所定の警報表示または警報音を出力する警報手段を備えた
ことを特徴とする請求項４、５または６記載のクリーニングボックス。
【請求項８】
前記タグ情報読取手段によって読み取られた利用者情報を記憶する利用者情報記憶手段を備えた
ことを特徴とする請求項１、２、３、４、５、６、または７記載のクリーニングボックス。
【請求項９】
前記タグを利用者の洗濯物または仕上品を収納する収納袋に設けた
ことを特徴とする請求項１、２、３、４、５、６、７または８記載のクリーニングボックス。
【請求項１０】
利用者の洗濯物を収納する洗濯物収納部と、洗濯済みの仕上品を収納する仕上品収納部とを備えたクリーニングボックスにおいて、
洗濯物収納部内の洗濯物の収納量を検出する収納量検出手段と、
収納量検出手段によって検出された洗濯物の収納量を複数段階で表示する収納量表示手段とを備えた
ことを特徴とするクリーニングボックス。
【請求項１１】
収納量検出手段を洗濯物収納部内の所定の上方位置から洗濯物までの上下方向の距離を検出するように構成した
ことを特徴とする請求項１０記載のクリーニングボックス。
【請求項１２】
前記収納量表示手段を、洗濯物の収納量を所定の表示灯の点滅周期を変化させることによって段階的に表示するように構成した
ことを特徴とする請求項１０または１１記載のクリーニングボックス。
【発明の詳細な説明】
【技術分野】
【０００１】
本発明は、例えばコンビニエンスストアにおけるクリーニングサービスに用いられるクリーニングボックスに関するものである。
【背景技術】
【０００２】
一般に、洗濯物の引受け及び仕上品の引渡しを人手によって行うクリーニング店を利用する場合には、クリーニング店の営業時間内に来店しなければならないが、利用者の都合上、所定の営業時間内に来店することができず、クリーニング店の利用に不便を来すという問題があった。
【０００３】
そこで、前記問題を解消するために、利用者が任意に洗濯物を投入可能な洗濯物受付機と、洗濯済みの仕上品を収納する複数のロッカーとを備えた店舗装置が提案されている（例えば、特許文献１参照。）。
【０００４】
この店舗装置では、利用者が店舗の洗濯物受付機に洗濯物を投入すると、洗濯業者等が洗濯物を回収してクリーニング工場で洗濯した後、洗濯済みの仕上品は無人店舗のロッカーに収納され、利用者は仕上品をロッカーから任意に受け取れるようになっている。その際、利用者が所定の会員カードを洗濯物受付機に挿入することにより、カードの識別情報から適正な利用者のカードであることが判別されると、洗濯物受付機またはロッカーの扉を開錠するようにしている。
【特許文献１】特開平７−６５２３１号公報
【発明の開示】
【発明が解決しようとする課題】
【０００５】
ところで、前記店舗装置をコンビニエンスストア等の有人店舗に設置する場合には、ロッカーの扉を任意に開錠可能な遠隔操作部を店内のカウンタ内等に配置し、利用者が洗濯物の受け付けまたは仕上品の受け取りを店員等の管理者に申し出ると、管理者が遠隔操作部を操作して洗濯物受付機またはロッカーの扉を解錠するようにしている。
【０００６】
しかしながら、前記店舗装置では、遠隔操作部側から管理者が洗濯物受付機またはロッカーを直接視認できない場合には、管理者によって利用者の行動を監視することができず、例えば洗濯物以外の異物を投入されたり、或いは他人の仕上品が取出されるなど、不正行為やトラブルの防止対策が万全でないという問題点があった。
【０００７】
また、管理者が洗濯物受付機を視認できない場合は、利用状況の把握が困難であるため、洗濯物受付機内に溜まった洗濯物の収納量を的確に把握することができず、往々にして洗濯物が満杯になっても気が付かないという問題点があった。また、洗濯物の満杯状態をセンサ等によって検知するようにしたものもあるが、この場合は満杯になるまで洗濯物の収納量を把握することができないため、洗濯業者等によって洗濯物が回収されるまでの間は利用を停止しなければならず、何れにしても洗濯物の満杯状態によって利用者に対するサービスを低下させるという問題点があった。
【０００８】
本発明は前記問題点に鑑みてなされたものであり、その目的とするところは、洗濯物収納部または仕上品収納部を管理者側が直接視認できない場合でも、不正行為やトラブルの発生を効果的に防止することのできるクリーニングボックスを提供することにある。また、他の目的とするところは、洗濯物収納部を管理者側が直接視認できない場合でも、洗濯物の収納量を的確に把握することのできるクリーニングボックスを提供することにある。
【課題を解決するための手段】
【０００９】
本発明は前記目的を達成するために、利用者の洗濯物を収納する洗濯物収納部と、洗濯済みの仕上品を収納する仕上品収納部とを備えたクリーニングボックスにおいて、前記利用者の固有情報を記憶したタグが取付けられた洗濯物が洗濯物収納部に投入されると、そのタグの利用者情報を読み取るタグ情報読取手段と、洗濯物収納部に投入された投入物を検知する投入物検知手段と、投入検知手段によって投入物が検知されると、タグ情報読取手段によって読み取られた情報または読み取りの有無に基づいて、その投入物が適正な洗濯物か否かを判定する判定手段とを備えている。
【００１０】
これにより、投入物検知手段によって投入物が検知されると、タグ情報読取手段によって読み取られた情報または読み取りの有無に基づいて、その投入物が適正な洗濯物か否かが判定されることから、例えば投入物が検知されたにも拘わらずタグ情報の読み取りがなかった場合は、洗濯物収納部内に洗濯物以外の異物が投入されたものと判断することができ、例えばタグ情報が読み取られた場合でもその情報が適正でない場合には、他の利用者のカードが使用されたものと判断することが可能となる。
【発明の効果】
【００１１】
本発明によれば、例えば投入物が検知されたにも拘わらずタグ情報の読み取りがなかった場合は、洗濯物収納部内に洗濯物以外の異物が投入されたものと判断することができ、例えばタグ情報が読み取られた場合でもその情報が適正でない場合には、他の利用者のカードが使用されたものと判断することができるので、洗濯物収納部を管理者側が直接視認できない場合でも、不正行為やトラブルを効果的に防止することができる。
【発明を実施するための最良の形態】
【００１２】
図１乃至図１０は本発明の一実施形態を示すもので、図１はクリーニングボックスの正面図、図２はその斜視図、図３は洗濯物収納部の側面断面図、図４は仕上品収納部の側面断面図、図５はクリーニングボックス本体側のスイッチ及びカードリーダの正面図、図６は遠隔操作ユニットの正面図、図７は制御系を示すブロック図、図８乃至図１０は制御部の動作を示すフローチャートである。尚、図８及び図９のフローチャートは同図に示す番号で連続するものとする。
【００１３】
このクリーニングボックスは、コンビニエンスストアの店舗内等に設置可能に形成されたクリーニングボックス本体１０を備え、クリーニングボックス本体１０は利用者の洗濯物Ａを収納する洗濯物収納部２０と、洗濯済みの仕上品Ｂを収納する仕上品収納部３０とを一体に有している。クリーニングボックス本体１０は、互いに間隔を有する金属製の外面板１１及び内面板１２を箱状に形成してなり、その下面には複数のキャスタ１３が取付けられている。また、本実施形態のクリーニングボックスは、クリーニングボックス本体１０側に設けられた本体側操作部４０と、クリーニングボックス本体１０から離れた所定位置に配置される遠隔操作ユニット５０と、クリーニングボックス本体１０側に設けられた制御部６０とを備えている。
【００１４】
クリーニングボックス本体１０の幅方向一端側には洗濯物収納部２０が配置され、洗濯物収納部２０の前面上部には洗濯物投入口２０ａが設けられている。洗濯物投入口２０ａは投入扉２１によって開閉するようになっており、投入扉２１の幅方向一端側はクリーニングボックス本体１０に回動自在に支持され、その幅方向他端側には取手２１ａが設けられている。投入扉２１には電磁ロック式の錠前からなる第１の施錠機構２２が設けられ、第１の施錠機構２２は後述する制御部によって施錠及び解錠動作を制御されるとともに、専用の鍵によって手動でも解錠可能に構成されている。また、洗濯物投入口２０ａにはマイクロスイッチ等からなる第１の扉センサ２１ｂが設けられ、第１の扉センサ２１ｂによって投入扉２１の開閉が検知されるようになっている。
【００１５】
洗濯物収納部２０の前面下部には洗濯物取出口２０ｂが設けられ、洗濯物取出口２０ｂは洗濯物投入口２０ａよりも上下方向の寸法を大きく形成されている。洗濯物取出口２０ｂは取出扉２３によって開閉するようになっており、取出扉２３は幅方向一端側をクリーニングボックス本体１０に回動自在に支持されている。取出扉２３には錠前２４が設けられ、錠前２４は専用の鍵によって手動で解錠されるようになっている。また、洗濯物取出口２０ｂにはマイクロスイッチ等からなる第２の扉センサ２３ｂが設けられ、第２の扉センサ２３ｂによって取出扉２３の開閉が検知されるようになっている。
【００１６】
洗濯物収納部２０内には電装品収納箱２５が設けられ、電装品収納箱２５は洗濯物投入口２０ａと洗濯物取出口２０ｂとの間に配置されている。また、洗濯物収納部２０内には洗濯物投入口２０ａの下端から後方に延びる仕切部２６が設けられ、仕切部２６の後端と洗濯物収納部２０内の背面との間には洗濯物Ａを通過可能な隙間が形成されている。この仕切部２６は電装品収納箱２５を上方、後方及び下方から囲むように設けられ、その上面は前方に向かって下り傾斜をなすように形成されている。仕切部２６の後端側には後方に向かって下り傾斜をなす傾斜部２６ａが設けられ、傾斜部２６ａは仕切部２６の上面の傾斜面に連続するように形成されている。更に、洗濯物収納部２０の底面はクッション性のシート材からなる緩衝部材２０ｃによって覆われている。
【００１７】
また、洗濯物収納部２０内には、洗濯物Ａの収納袋７０に取付けられたタグ７１の情報を読み取るタグ情報読取手段としてのＲＦＩＤリーダ２７と、洗濯物収納部２０内に投入された投入物を検知する投入物センサ２８と、洗濯物収納部２０内の洗濯物Ａの収納量を検出する収納量センサ２９が設けられている。ＲＦＩＤリーダ２７はＩＣチップを内蔵した周知のタグ７１に記憶された情報を読み取る周知の機器からなり、仕切部２６の背面に配置されている。投入物センサ２８は物体の通過を検知する光センサ等の周知の機器からなり、仕切部２６の背面に配置されている。収納量センサ２９は洗濯物収納部２０内の洗濯物Ａとの距離を検出するアナログ式の周知の測定機器からなり、仕切部２６の下面に配置されている。
【００１８】
クリーニングボックス本体１０の幅方向他端側には仕上品収納部３０が配置され、仕上品収納部３０の前面には仕上品受取口３０ａが設けられている。仕上品受取口３０ａは受取扉３１によって開閉するようになっており、受取扉３１の幅方向一端側はクリーニングボックス本体１０に回動自在に支持され、その幅方向他端側には取手３１ａが設けられている。受取扉３１には電磁ロック式の錠前からなる第２の施錠機構３２が設けられ、第２の施錠機構３２は後述する制御部によって施錠及び解錠動作を制御されるとともに、専用の鍵によって手動でも解錠可能に構成されている。また、仕上品受取口３０ａにはマイクロスイッチ等からなる第３の扉センサ３１ｂが設けられ、第３の扉センサ３１ｂによって受取扉３１の開閉が検知されるようになっている。受取扉３１には仕上品収納部３０内を外部から透視可能な透視窓３１ｃが設けられ、透視窓３１ｃは透明板３１ｄによって覆われている。仕上品収納部３０内の上下方向複数箇所には複数の仕上品Ｂを吊り下げ可能な仕上品保持部材３３が取付けられており、各仕上品保持部材３３は両端を仕上品収納部３０内の両側面に固定された幅方向に延びるパイプ状部材からなる。
【００１９】
また、仕上品収納部３０内には、仕上品Ｂの収納袋７０に取付けられたタグ７１の情報を読み取るタグ情報読取手段としてのＲＦＩＤリーダ３４が設けられ、ＲＦＩＤリーダ３４は仕上品収納部３０内の上面前端側に配置されている。
【００２０】
本体側操作部４０は洗濯物投入口２０ａと洗濯物取出口２０ｂとの間に配置され、所定の情報を記録したカードを読み取るカードリーダ４１と、カードリーダ４１に挿入されたカードの有無を検知するカードセンサ４１ａと、洗濯物Ａの投入時に操作する投入スイッチ４２と、仕上品Ｂの受取時に操作する受取スイッチ４３と、投入スイッチ４２または受取スイッチ４３の操作を取消す取消スイッチ４４とを備えている。
【００２１】
遠隔操作ユニット５０は、例えば店内のカウンタ内に配置され、その幅方向両端には壁面等に取付けるための取付部５０ａが設けられている。遠隔操作ユニット５０は、カードリーダ４１へのカードの受入れの可否を選択するカード受入スイッチ５１と、カードの受入可否及びカードの残存を表示するカード処理表示灯５２と、投入扉２１、取出扉２３及び受取扉３１の開閉状態を表示する扉開閉表示灯５３と、異常の発生を警報として表示する警報手段としての異常表示灯５４と、洗濯物収納部２０内の洗濯物Ａの収納状態を表示する収納状態表示灯５５と、所定の警報音を発する警報手段としての警報ブザー５６とを備え、各表示灯５２，５３，５４，５５はそれぞれＬＥＤ等の発光体からなる。
【００２２】
制御部６０はマイクロコンピュータによって構成され、第１及び第２の施錠機構２２，３２、第１の扉センサ２１ｂ、第２の扉センサ２３ｂ、第３の扉センサ３１ｂ、ＲＦＩＤリーダ２７、投入物センサ２８、収納量センサ２９、カードリーダ４１、カードセンサ４１ａ、投入スイッチ４２、受取スイッチ４３、取消スイッチ４４及びカードセンサ４５が接続されている。尚、各施錠機構２２，３２は、通常は施錠状態になっている。また、制御部６０は遠隔操作ユニット５０のカード受入スイッチ５１、各表示灯５２，５３，５４，５５及び警報ブザー５６がケーブル等を介して接続されている。更に、制御部６０には各ＲＦＩＤリーダ２７，３４によって読み取ったタグ７１の情報を利用状況データとして記憶する利用者情報記憶６１が接続されている。尚、制御部６０は、タグ情報またはタグ情報の読み取りの有無に基づいて洗濯物Ａまたは仕上品Ｂの利用者の適否を判定する判定手段を含む。
【００２３】
以上のように構成されたクリーニングボックスは、例えばコンビニエンスストアの店舗内に設置され、コンビニエンスストアのクリーニングサービスに用いられる。このクリーニングサービスは会員制になっており、利用者はコンビニエンスストア等で会員登録の手続をすることにより、クリーニングサービスの固有情報や利用者の識別情報等を記憶した会員カードが利用者に配布される。また、利用者には前記タグ７１が取付けられた収納袋７０が与えられ、タグ７１には会員カードと同様の利用者の識別情報等が記憶されている。
【００２４】
前記クリーニングボックスを利用する場合には、来店した利用者が洗濯物の受け付けまたは仕上品の受け取りを店員に申し出ると、店員が遠隔操作ユニット５０によってカードリーダ４１へのカードの受入を可能な状態にする。この後、利用者が本体側操作部４０を操作することにより、収納袋７０に収納した洗濯物Ａの投入または仕上品Ｂの受取りを行うようになっている。
【００２５】
即ち、洗濯物Ａを預ける場合には、投入スイッチ４２を操作すると、第１の施錠機構２２が解錠され、洗濯物投入口２０ａの投入扉２１を開放して洗濯物投入口２０ａに洗濯物Ａを収納袋７０ごと投入することにより、洗濯物Ａが洗濯物収納部２０に収納される。この場合、利用者は洗濯物Ａの収納袋７０に所定の伝票を添付して投入する。
【００２６】
洗濯物収納部２０に収納された洗濯物Ａは、所定の洗濯業者によって定期的に回収される。その際、洗濯業者の鍵により洗濯物取出口２０ｂの取出扉２３の錠前２４が手動で解錠され、洗濯物収納部２０内の洗濯物Ａが収納袋７０ごと洗濯物取出口２０ｂから取出される。この後、所定の仕上日になると、洗濯業者によって洗濯された仕上品Ｂが収納袋７０に収納されて仕上品収納部３０内に収納される。その際、仕上品受取口３０ａの受取扉３１は、洗濯業者の鍵によって第２の施錠機構３２を手動で解錠することにより開放される。
【００２７】
そして、仕上品Ｂの受け取りに来店した利用者が受取スイッチ４３を操作すると、第２の施錠機構３２が解錠され、仕上品受取口３０ａの受取扉３１を開放して仕上品収納部３０内の仕上品Ｂを収納袋７０ごと取出すことにより、仕上品Ｂを受取ることができる。
【００２８】
ここで、前記利用時における制御部６０の動作を図８及び図９のフローチャートを参照して説明する。まず、店員等の管理者によって遠隔操作ユニット５０のカード受入スイッチ５１が操作されると（Ｓ１）、カード処理表示灯５２を点灯する（Ｓ２）。これにより、カードリーダ４１にカードが受入可能な状態になる。次に、利用者によってカードリーダ４１にカードが挿入されると（Ｓ３）、カードリーダ４１によってカードが読み取られる（Ｓ４）。ここで、挿入されたカードが適正な会員カードでないと判定された場合は（Ｓ５）、カードを排出し（Ｓ６）、ステップＳ３に戻る。また、ステップＳ５において適正な会員カードであると判定され、利用者によって投入スイッチ４２が操作されると（Ｓ７）、第１の施錠機構２２を解錠する（Ｓ８）。次に、洗濯物投入口２０ａの投入扉２１が開放されたことを検知すると（Ｓ９）、扉開閉表示灯５３を点灯する（Ｓ１０）。
【００２９】
ここで、利用者によって洗濯物収納部２０内に洗濯物Ａが投入され、投入物センサ２８によって洗濯物Ａの投入が検知されると（Ｓ１１）、ＲＦＩＤリーダ２７によって洗濯物Ａのタグ７１の情報が読み取られた否かが判別され（Ｓ１２）、タグ７１の情報が読み取られた場合には、タグ７１の利用者情報がカードリーダ４１によって読み取られた利用者情報と比較される（Ｓ１３）。ここで、タグ７１の利用者情報がカードの利用者情報と一致した場合には、タグ７１の利用者情報を利用者情報記憶部６１に書き込んだ後（Ｓ１４）、投入扉２１が閉じられたことを検知すると（Ｓ１５）、第１の施錠機構２２を施錠し（Ｓ１６）、扉開閉表示灯５３を消灯するとともに（Ｓ１７）、カードリーダ４１からカードを排出し（Ｓ１８）、カード処理表示灯５２を消灯する（Ｓ１９）。また、例えば洗濯物収納部２０内に洗濯物以外の異物が投入された場合など、前記ステップＳ１１において投入物の投入が検知された後、前記ステップＳ１２においてＲＦＩＤリーダ２７によるタグ情報の読み取りがなかったと判定された場合には、遠隔操作ユニット５０の異常表示灯５４を点灯するとともに（Ｓ２０）、警報ブザー５６によって警報音を発生させる（Ｓ２１）。更に、前記ステップＳ１２においてＲＦＩＤリーダ２７によるタグ情報の読み取りがあったと判定された場合でも、例えば他の利用者のカードが使用された場合など、前記ステップＳ１３においてタグ７１の利用者情報がカードの利用者情報と一致しなかった場合には、同様に異常表示灯５４を点灯するとともに（Ｓ２０）、警報ブザー５６によって警報音を発生させる（Ｓ２１）。
【００３０】
また、前記ステップＳ３においてカードの挿入が検知された後、利用者によって受取スイッチ４３が操作された場合には（Ｓ２２）、第２の施錠機構３２を解錠する（Ｓ２３）。次に、仕上品受取口３０ａの受取扉３１が開放されたことを検知すると（Ｓ２４）、扉開閉表示灯５３を点灯する（Ｓ２５）。
【００３１】
ここで、利用者によって仕上品収納部３０内から仕上品Ｂが取出され、ＲＦＩＤリーダ３４によって仕上品Ｂのタグ７１の情報が読み取られると（Ｓ２６）、タグ７１の利用者情報がカードリーダ４１によって読み取られた利用者情報と比較される（Ｓ２７）。ここで、タグ７１の利用者情報がカードの利用者情報と一致した場合には、タグ７１の利用者情報を利用者情報記憶部６１に書き込んだ後（Ｓ２８）、ＲＦＩＤリーダ３４によって同一の仕上品Ｂのタグ７１の情報が再度読み取られなければ（Ｓ２９）、受取扉３１が閉じられたことを検知すると（Ｓ３０）、第２の施錠機構３２を施錠し（Ｓ３１）、前記ステップＳ１７からＳ１９の動作を行う。また、例えば他の利用者の仕上品Ｂが取出された場合など、前記ステップＳ２７においてタグ７１の利用者情報がカードの利用者情報と一致しなかった場合には、異常表示灯５４を点灯するとともに（Ｓ２０）、警報ブザー５６によって警報音を発生させる（Ｓ２１）。更に、一旦取出された仕上品Ｂが再度仕上品収納部３０内に戻された場合など、前記ステップＳ２９において同一の仕上品Ｂのタグ７１の情報が再度読み取られた場合には、同様に異常表示灯５４を点灯するとともに（Ｓ２０）、警報ブザー５６によって警報音を発生させる（Ｓ２１）。
【００３２】
また、前記動作とは別に、制御部６０は洗濯物収納部２０内の洗濯物Ａの収納量を複数段階に表示するように収納状態表示灯５５を制御する。この場合、制御部６０には、収納量センサ２９によって検出される洗濯物Ａまでの距離Ｈに対し、第１乃至第５の基準値Ｈ1 〜Ｈ5 が設定されており、例えば第１の基準値Ｈ1 は洗濯物収納部２０内の底面までの距離の８０％の値、第２の基準値Ｈ2 はその６０％の値、第３の基準値Ｈ3 はその４０％の値、第４の基準値Ｈ4 はその２０％の値、第５の基準値Ｈ5 はその５％の値にそれぞれ設定されている。
【００３３】
即ち、図１０のフローチャートに示すように、例えば洗濯物収納部２０内に洗濯物Ａが収納されていない場合など、収納量センサ２９の検出距離Ｈが第１の基準値Ｈ1 以上の場合には（Ｓ４０）、収納状態表示灯５５を消灯する（Ｓ４１）。また、収納量センサ２９の検出距離Ｈが第１の基準値Ｈ1 よりも小さく（Ｓ４０）、第２の基準値Ｈ2 以上の場合には（Ｓ４２）、収納状態表示灯５５を第１の周期Ａ1 （例えば３秒周期）で点滅させ（Ｓ４３）、検出距離Ｈが第２の基準値Ｈ2 よりも小さく（Ｓ４２）、第３の基準値Ｈ3 以上の場合には（Ｓ４４）、収納状態表示灯５５を第２の周期Ａ2 （例えば２秒周期）で点滅させ（Ｓ４５）、検出距離Ｈが第３の基準値Ｈ3 よりも小さく（Ｓ４４）、第４の基準値Ｈ4 以上の場合には（Ｓ４６）、収納状態表示灯５５を第３の周期Ａ3 （例えば１秒周期）で点滅させ（Ｓ４７）、検出距離Ｈが第４の基準値Ｈ4 よりも小さく（Ｓ４６）、第５の基準値Ｈ5 以上の場合には（Ｓ４８）、収納状態表示灯５５を第４の周期Ａ4 （例えば０．５秒周期）で点滅させる（Ｓ４９）。また、検出距離Ｈが第５の基準値Ｈ5 よりも小さい場合には（Ｓ４８）、収納状態表示灯５５を点灯する（Ｓ５０）。
【００３４】
このように、本実施形態のクリーニングボックスによれば、利用者の固有情報を記憶したタグ７１が取付けられた洗濯物Ａが洗濯物収納部２０に投入されると、そのタグ７１の利用者情報を読み取るＲＦＩＤリーダ２７と、洗濯物収納部２０に投入された投入物を検知する投入物センサ２８とを備え、投入物センサ２８によって投入物が検知されると、ＲＦＩＤリーダ２７によって読み取られた情報または読み取りの有無に基づいて、その投入物が適正な洗濯物か否かを判定するようにしたので、例えば投入物が検知されたにも拘わらずタグ情報の読み取りがなかった場合は、洗濯物収納部２０内に洗濯物以外の異物が投入されたものと判断することができ、例えばタグ情報が読み取られた場合でもその情報が適正でない場合には、他の利用者のカードが使用されたものと判断することが可能となる。従って、洗濯物収納部２０を管理者側が直接視認できない場合でも、不正行為やトラブルを効果的に防止することができる。
【００３５】
また、利用者の固有情報を記憶したカードを読み取るカードリーダ４１を備え、ＲＦＩＤリーダ２７及びカードリーダ４１によってそれぞれ読み取られた利用者情報に基づいて投入物が適正な洗濯物か否かを判定するようにしたので、利用者の所持するカードの情報と、その利用者が投入した洗濯物Ａのタグ７１の情報とを比較することにより、投入された洗濯物Ａがその利用者の物か否かを容易に判定することができ、洗濯物Ａの適否判断をより的確に行うことができる。
【００３６】
更に、投入物が適正な洗濯物であると判定されなかった場合には、遠隔操作ユニット５０の異常表示灯５４を点灯するとともに、警報ブザー５６によって警報音を発生させるようにしたので、異物の投入等を異常表示灯５４の点灯及び警報ブザー５６の警報音によって管理者に視覚的及び聴覚的に知らせることができ、不正行為やトラブルの発生を迅速に発見することができる。
【００３７】
また、利用者の固有情報を記憶したタグ７１が取付けられた仕上品Ｂが仕上品収納部３０から取出されると、そのタグ７１の利用者情報を読み取るＲＦＩＤリーダ３４を備え、ＲＦＩＤリーダ３４によって読み取られた情報に基づいて、その仕上品Ｂが適正な利用者の仕上品か否かを判定するようにしたので、例えば読み取られたタグ情報が適正でない場合には、他の利用者の仕上品Ｂが取出されたものと判断することが可能となり、仕上品収納部３０を管理者側が直接視認できない場合でも、不正行為やトラブルを効果的に防止することができる。
【００３８】
更に、ＲＦＩＤリーダ３４及びカードリーダ４１によってそれぞれ読み取られた利用者情報に基づいて、仕上品収納部３０から取出された仕上品Ｂが適正な利用者の仕上品か否かを判定するようにしたので、利用者の所持するカードの情報と、その利用者が取出した仕上品Ｂのタグ７１の情報とを比較することにより、取出された仕上品Ｂがその利用者の物か否かを容易に判定することができ、仕上品Ｂを取出した利用者の適否判断をより的確に行うことができる。
【００３９】
また、仕上品Ｂを取出した利用者が適正な利用者であると判定されなかった場合には、遠隔操作ユニット５０の異常表示灯５４を点灯するとともに、警報ブザー５６によって警報音を発生させるようにしたので、他人の仕上品Ｂが不正または誤認によって取出されたことを管理者に視覚的及び聴覚的に知らせることができ、不正行為やトラブルの発生を迅速に発見することができる。
【００４０】
更に、仕上品収納部３０から取出された仕上品Ｂのタグ７１が読み取られた後、同一の仕上品Ｂのタグ７１が再度読み取られた場合には、遠隔操作ユニット５０の異常表示灯５４を点灯するとともに、警報ブザー５６によって警報音を発生させるようにしたので、一旦取出された仕上品Ｂが再度仕上品収納部３０内に戻されたことを管理者に視覚的及び聴覚的に知らせることができ、例えば他人の仕上品Ｂを出し入れするなどの不審な行為を迅速に発見することができる。
【００４１】
また、洗濯物収納部２０及び仕上品収納部３０のＲＦＩＤリーダ２７，３４によって読み取られた利用者情報を利用者情報記憶部６１に記憶するようにしたので、例えば利用者情報記憶部６１に記憶されたデータに基づいて利用者の利用状況等を把握することができ、顧客管理等に極めて有利である。
【００４２】
更に、タグ７１を利用者の洗濯物Ａまたは仕上品Ｂを収納する収納袋７０に設けたので、収納袋７０によって洗濯物Ａまたは仕上品Ｂの収納及び利用者情報管理を行うことができ、実用化に際して極めて有利である。
【００４３】
また、洗濯物収納部２０内の洗濯物Ａの収納量を検出する収納量センサ２９を備え、収納量センサ２９によって検出された洗濯物Ａの収納量を収納状態表示灯５５によって複数段階で表示するようにしたので、満杯になるまで洗濯物Ａの収納量を段階的に把握することができ、洗濯業者等によって洗濯物Ａを回収させる時期を常に的確に判断することができる。従って、洗濯物収納部２０内の洗濯物Ａを満杯になる前に回収することにより、満杯状態によって利用が停止されることがなくなり、利用者に対するサービスの低下を確実に防止することができる。
【００４４】
この場合、収納量センサ２９によって洗濯物収納部２０内の所定の上方位置から洗濯物Ａまでの上下方向の距離を検出するように構成したので、洗濯物Ａの収納量を簡単な構成によって的確に検出することができ、実用化に際して極めて有利である。
【００４５】
また、洗濯物Ａの収納量を収納状態表示灯５５の点滅周期を変化させることにより複数段階で表示するようにしたので、洗濯物Ａの収納量を一つの収納状態表示灯５５によって容易に把握することができ、表示手段の簡素化を図ることができる。
【００４６】
尚、前記実施形態では、洗濯物Ａまたは仕上品Ｂを収納する収納袋７０にタグ７１を設けたものを示したが、洗濯物Ａまたは仕上品Ｂに直接タグ７１を取付けるようにしてもよい。
【００４７】
また、前記実施形態では、警報手段として異常表示灯５４及び警報ブザー５６を備えたものを示したが、何れか一方のみを備えるようにしてもよい。
【図面の簡単な説明】
【００４８】
【図１】本発明の一実施形態を示すクリーニングボックスの正面図
【図２】クリーニングボックスの斜視図
【図３】洗濯物収納部の側面断面図
【図４】仕上品収納部の側面断面図
【図５】本体側操作部の正面図
【図６】遠隔操作ユニットの正面図
【図７】制御系を示すブロック図
【図８】制御部の動作を示すフローチャート
【図９】制御部の動作を示すフローチャート
【図１０】制御部の動作を示すフローチャート
【符号の説明】
【００４９】
２０…洗濯物収納部、２７…ＲＦＩＤリーダ、２８…投入物センサ、２９…収納量センサ、３０…仕上品収納部、３４…ＲＦＩＤリーダ、４１…カードリーダ、５４…異常表示灯、５５…収納状態表示灯、５６…警報ブザー、６０…制御部、６１…利用者情報記憶部。
【図１】
2005131220.tif 000003
【図２】
2005131220.tif 000004
【図３】
2005131220.tif 000005
【図４】
2005131220.tif 000006
【図５】
2005131220.tif 000007
【図６】
2005131220.tif 000008
【図７】
2005131220.tif 000009
【図８】
2005131220.tif 000010
【図９】
2005131220.tif 000011
【図１０】
2005131220.tif 000012